(57)【特許請求の範囲】
【請求項１】
一方の端末装置に対してコンピュータネットワークを介して他方の端末装置から送信される電子メールをメールサーバが管理し、当該メールサーバが前記送信された電子メールを一方の端末装置へ配信すると共に、前記送信された電子メールに関する内容の転送電子メールを必要に応じて前記一方の端末装置を利用する利用者の携帯電話へ配信する電子メールシステムにおいて、
前記電子メールの管理動作のうち任意の動作を指令する管理コマンドが前記ネットワーク及び前記メールサーバを経由して携帯電話から送信された場合に、当該管理コマンドに基づいて前記電子メールの各種管理を制御するメール制御手段を備え、
前記管理コマンドが、前記メール制御手段があらかじめ他方の端末装置から受信した原本の電子メールを複数分割して携帯電話に転送した各分割電子メールの全部又はいずれかに対する返信の指令である場合に、当該管理コマンドに基づいてメール制御手段が、携帯電話から送信された前記分割電子メールの全部又はいずれかに対する返信メールである１又は複数のデータを前記受信された原本の電子メールと共に単一の電子メールとして前記他方の端末装置へ送信することを
特徴とする電子メールシステム。
【請求項２】
前記請求項１に記載の電子メールシステムにおいて、
前記管理コマンドがその他の端末装置へ電子メールを転送する指令である場合に、当該管理コマンドに基づいて前記メール制御手段がメールサーバに格納された電子メールを前記その他の端末装置へ送信することを
特徴とする電子メールシステム。
【請求項３】
前記請求項１又は２に記載の電子メールシステムにおいて、
前記管理コマンドが携帯電話から送信される電子メールに記述して送信されることを
特徴とする電子メールシステム。
【発明の詳細な説明】
【０００１】
【発明の属する技術分野】
本発明は、コンピュータネットワークで送受される電子メールを管理する電子メールシステムに関し、特に携帯電話から電子メールの管理を制御できる電子メールシステムに関する。
【０００２】
【従来の技術】
従来、この種の電子メールシステムのうちインターネットをコンピュータネットワークとして利用したシステムとして図１７に示すものがあり、この図１７に従来の電子メールシステムの全体概略構成図を示す。同図において電子メールシステムは、オフィス１１内に配設されたパーソナルコンピュータ（以下ＰＣ）９の電子メールをメールサーバ５で管理し、このメールサーバ５がインターネット４を介して他のＰＣ７及びＰＣ８との間で電子メールの送受信を行う構成である。また、前記メールサーバ５は、前記インターネット４に接続される携帯電話センタ３及び基地局２を介して携帯電話１との間で電子メールの送受信を行う構成である。
【０００３】
次に、前記構成に基づく従来の電子メールシステムの電子メールを送受信する動作を図１８を参照して説明する。この図１８は従来の電子メールシステムの転送及び返信動作における電子メールデータフォーマット図を示す。
まず、メール発信元であるＰＣ７からＰＣ９へ電子メールがインターネット４を介して送信されると、この電子メールをメールサーバ５が受信してメール原本として記憶部（例えば、メールスプール。図示を省略する。）に格納する。このメール原本はメールサーバ５が受信された電子メールの内容について連続文字の削除等の編集を行う前の添付ファイル等を含む元々の内容である。
【０００４】
前記ＰＣ９は、メールサーバ５に格納された電子メールのメール原本をＰＯＰ３等のメールプロトコルを用いて入手することができる。また、このＰＣ９は、他のＰＣ７へ電子メールの返信を送信し、またその他のＰＣ８へ電子メールの転送を行うことができる。
前記電子メールの転送はメールサーバ５中のメール転送ソフトを使用して携帯電話１へ転送することができ、この携帯電話１でオフィス１１にＰＣ７から送信された電子メールをＰＣ９を利用する利用者が有する携帯電話１で閲覧が可能となる。この携帯電話１への電子メールの転送は、携帯電話１自体の文字数制限、電子メールに添付される添付ファイルの削除、メールサーバ５のメール編集等によりメール原本とは異なる編集、削除等された後の加工データが送信される。
【０００５】
前記メールサーバ５のメール編集は、図１８（Ａ）に示すようにメール原本を分割（例えば、３分割）し、さらに添付ファイルを削除する。また、このメール編集により分割されたデータは、各分割データを１つのデータメールとして各々携帯電話１へ送信する。この送信を受けた携帯電話１は、転送されたメールに対する返答が必要な場合は図１８（Ｂ）に示すように各電子メールに対応する返信を同一の電子メールアドレスで３通送信する。
【０００６】
このようにオフィス１１外の携帯電話１からもＰＣ９に送信された電子メールを簡略に確認し、この電子メールに対する返信も行うことができる。
【０００７】
【発明が解決しようとする課題】
従来の電子メールシステムは以上のように構成されていたことから、携帯電話１でＰＣ９に送信された電子メールのメール原本を閲覧することができず、その他のＰＣ８への転送を指令することができず、また電子メールに対する返信をメール原本を確認し又は引用した形式での回答ができないという課題を有していた。
【０００８】
即ち、前記携帯電話１の利用者がメール原本を閲覧できず、また添付ファイルを含むメール原本全体を内容とする電子メールを携帯電話１から他の者に転送できないことから、電子メールで指示された内容をこの他の者が対処することができない。また、送信された電子メールのメール原本全体を引用した返信ができないことから、返信を受取ったＰＣ７の利用者は返信の回答内容を送信した電子メール（メール原本）との対比で判断できないことから、返信内容を正確且つ迅速に理解できないという課題を有する。
【０００９】
本発明は、前記課題を解消するためになされたもので、メール転送サービスを受ける携帯電話からも電子メールのメール原本を転送指令し、単一の電子メールで転送と返信等ができる電子メールシステムを提供することを目的とする。
【００１０】
【課題を解決するための手段】
本発明に係る電子メールシステムは、一方の端末装置に対してコンピュータネットワークを介して他方の端末装置から送信される電子メールをメールサーバが管理し、当該メールサーバが前記送信された電子メールを一方の端末装置へ配信すると共に、前記送信された電子メールに関する内容の転送電子メールを必要に応じて前記一方の端末装置を利用する利用者の携帯電話へ配信する電子メールシステムにおいて、前記電子メールの管理動作のうち任意の動作を指令する管理コマンドが前記ネットワーク及び前記メールサーバを経由して携帯電話から送信された場合に、当該管理コマンドに基づいて前記電子メールの各種管理を制御するメール制御手段を備え、前記管理コマンドが、前記メール制御手段があらかじめ他方の端末装置から受信した原本の電子メールを複数分割して携帯電話に転送した各分割電子メールの全部又はいずれかに対する返信の指令である場合に、当該管理コマンドに基づいてメール制御手段が、携帯電話から送信された前記分割電子メールの全部又はいずれかに対する返信メールである１又は複数のデータを前記受信された原本の電子メールと共に単一の電子メールとして前記他方の端末装置へ送信するものである。このように本発明においては、他方の端末装置から一方の端末装置へコンピュータネットワークを介して送信される電子メールに対するメールサーバの管理動作のうち、任意の動作を指令する管理コマンドが一方の端末装置側のメール制御手段へ携帯電話から送信され、この管理コマンドに基づいてメール制御手段が電子メールに対する管理動作を実行するようにしているので、前記電子メールを送信された一方の端末装置がメールサーバに指示して行う閲覧、転送、返信等の処理に加えて、携帯電話からの指令によりメール制御手段による電子メールの各種管理を実行できることとなり、受信した一方の端末装置側で電子メールに関する各種管理動作を実行できる。また、電子メールに対する返信メール送信を指令する管理コマンドに基づいて、メール制御手段がメールサーバに格納された電子メールと携帯電話から送信されたデータとを単一の電子メールとして他方の端末装置へ返信するようにしているので、受信された電子メールの総ての内容に回答等のコメントを付して携帯電話からの指令により返信できる。
【００１１】
また、本発明に係る電子メールシステムは必要に応じて、管理コマンドがその他の端末装置へ電子メールを転送する指令である場合に、当該管理コマンドに基づいて前記メール制御手段がメールサーバに格納された電子メールを前記その他の端末装置へ送信するものである。このように本発明においては、電子メールの転送を指令する管理コマンドに基づいて、メール制御手段がメールサーバに格納された電子メールをその他の端末装置へ送信するようにしているので、電子メールの内容総てが携帯電話からの指令により転送できる。
【００１３】
さらに、本発明に係る電子メールシステムは必要に応じて、管理コマンドが携帯電話から送信される電子メールに記述して送信されるものである。このように本発明においては、電子メールに管理コマンドを記述して携帯電話から送信するようにしているので、より簡易に電子メールの転送、返信等の管理動作を実行できる。
【００１４】
【発明の実施の形態】
（本発明の第１の実施形態）
以下、本発明の第１の実施形態に係る電子メールシステムを図１ないし図１０に基づいて説明する。この図１は本実施形態に係る電子メールシステムの全体概略構成図、図２は図１記載の電子メールシステムにおけるメール制御手段のブロック構成図、図３は図１に記載の電子メールシステムにおける管理コマンドの記号及び内容一覧図、図４は図２に記載の原本蓄積手段における蓄積されたメールの原本のデータフォーマット図である。
【００１５】
前記各図において本実施形態に係る電子メールシステムは、前記従来の電子メールシステムと同様にＰＣ７からＰＣ９へインターネット４を介して（又はＰＣ１０へ直接に）送信される電子メールをメールサーバ５で管理し、このメールサーバ５により携帯電話１又はＰＣ８への電子メールの返信を管理する構成に加え、前記携帯電話１が返信する電子メールに管理コマンドを加えてメールサーバ５経由でメール制御手段６へ送信すると共に、前記管理コマンドに基づいてメール制御手段６が電子メールの管理を制御する構成である。
【００１６】
このメール制御手段６は、前記メールサーバ５の記憶部に一時格納された電子メールのメール原本を読出して入力するメールサーバインターフェイス６１と、このメールサーバインターフェイス６１を介して入力されたメール原本に含まれる管理コマンドの有無により通常の電子メールかコマンド電子メールかを識別するメール識別手段６２と、この識別結果に基づいて電子メールのメール原本に対する各種の処理を制御するメール処理制御手段６３と、このメール処理制御手段６３の制御により電子メールの転送・返信・全員返信・メール原本の取得に対応する処理を実行するメール処理手段６５と、前記メール処理制御手段６３の制御により電子メールのメール原本を格納する原本蓄積手段６４とを備える構成である。
【００１７】
前記メール識別手段６２は、入力されたメール原本に管理コマンドが含まれていない場合には通常の電子メールと識別し、前記メール原本に管理コードが含まれている場合にはコマンド電子メールと識別する。前記メール処理制御手段６３は、メール識別手段６２で通常の電子メールと識別された場合に原本蓄積手段６４に対して入力されたメール原本の格納を指令すると共に、メール識別手段６２でコマンド電子メールと識別された場合にメール処理手段６５に対して管理コマンドに基づく各種の処理を実行することを指令する。この管理コマンドは、図３に示すように転送コマンドｔ、返信コマンドｒ、全員返信（例えば、ＣＣ；Carbon Copyを含む）コマンドｒａ、メール原本取得コマンドｍ等がある。
【００１８】
前記原本蓄積手段６４は、メール処理制御手段６３の指令に基づいて図４に示すようにメール原本ＩＤ、メール着信時、メール宛先アドレス、メールＣＣアドレス、メール送信者アドレス及びメール件名からなるヘッダー情報毎にメール原文を１つのファイルとして格納して管理する。前記メール処理手段６５は、前記各管理コマンドに基づいてメールサーバインターフェイス６１、メールサーバ５を介して転送及びメール原本取得の要求に対してメール原本を送信し、返信の要求に対してメール原本及びコメント等を送信する構成である。
【００１９】
次に、前記構成に基づく本実施形態に係る電子メールシステムの電子メールを送受信する動作を図５ないし図１０を参照して説明する。この図５は図１に記載の電子メールシステムにおいて用いられる利用者情報及び管理情報に関する各メールアドレスの内容一覧図、図６は図１に記載の携帯電話で記述される転送コマンド態様図、図７は図２に記載のメール識別手段の識別動作フローチャート、図８は図２に記載のメール処理制御手段の制御動作フローチャート、図９はメール原本の転送メール、図９は図２に記載のメール処理制御手段で作成された転送の電子メールデータフォーマット、図１０は図２に記載のメール処理手段から転送処理時に送信される電子メールデータフォーマットである。
【００２０】
前提として図５に示すように利用者が携帯電話１で使用するメールアドレス09012345678@docomo.ne.jpとし、利用者がオフィス１１内で使用するメールアドレスuser@office.co.jpとし、メール制御手段６のメールアドレスmailwarp@office.co.jpとし、電子メールのメール原本を転送するＰＣ１０のメールアドレスuser2@office.co.jpとし、電子メールのメール原本の転送をするＰＣ８のメールアドレスuser3@office.co.jpとし、また電子メールを送信する送信者が使用するＰＣ７のメールアドレスcencler@×××.co.jpを用いてＰＣ７からＰＣ９へ送信された電子メールをメール制御手段６の管理動作により携帯電話１の指令に基づいてＰＣ８及びＰＣ１０へ転送することを例に挙げて説明する。
【００２１】
まず、ＰＣ９への通常電子メールの送信とこの電子メールの蓄積動作については、ＰＣ７より送信者が利用者が通常使用しているＰＣ９に対してメールアドレスuser@office.co.jpのメールアカウントuser宛に電子メールを送信する。このＰＣ７より送信された電子メールは、インターネット４を経由してオフィス１１内のメールサーバ５に入力される。このメールサーバ５は電子メールの宛先であるＰＣ９で使用するメールスプールに電子メールを配信して一時格納すると共に、この電子メールのメール原本をメール制御手段６に配信する。
【００２２】
前記メール制御手段６への電子メールの配信は、メールサーバインターフェイス６１に電子メールのメール原本が入力され、このメールサーバインターフェイス６１から後段のメール識別手段６２へ入力される。このメール識別手段６２は、図７に示すフローチャートに基づいて電子メールの判別動作を実行する。この判別動作は、入力された電子メールを解析して管理コマンドを抽出し（ステップ１０）、この抽出された管理コマンドの有無により電子メールが通常の電子メールかコマンド電子メールかを判断する（ステップ１１）。
【００２３】
前記ステップ１１で通常の電子メールと判断された場合にその判断がメール処理制御手段６３へ入力され、このメール処理制御手段６３は原本蓄積手段６４に対して前記入力された通常の電子メールのメール原本を図４に示すようにヘッダ情報と共にメール原本を含むデータフォーマットで蓄積することを指示する（ステップ１２）。さらにこのメール処理制御手段６３はメール処理手段６５に対してメール原本を携帯電話１へ転送することを指示する（ステップ１３）。
【００２４】
前記メール処理手段６５は、携帯電話１へ転送する場合には電子メールのメール原本を携帯電話１のメール送受信部（図示を省略）で読み易く編集し、また添付ファイルの削除等の加工を実行し、携帯電話１のメールアドレス09012345678@docomo.ne.jpを設定してメールサーバインターフェイス６１へ携帯電話１宛に送信する旨を指示する。このメール送受信部で表示される電子メールを加工した後の電子メールのデータフォーマットは、図１０に示すようになる。この加工・送信は予め登録された図５に示すメールアドレスの転送管理データに従って実行される。
【００２５】
この加工したＰＣ７から送信された電子メールは、メール制御手段６のメールサーバインターフェイス６１より送信する。このメール制御手段６は、予め利用者が登録している携帯電話１のメールアドレス09012345678@docomo.ne.jpを特定して携帯電話１宛に前記加工後の電子メールの送信をインターネット４を介して実行する。この送信された加工後の電子メールは、インターネット４、携帯電話センタ３及び基地局２を経由して携帯電話１へ送信される。この携帯電話１は、メールサーバ５により受信された電子メールであって、メール制御手段６により加工されて電子メールのメール原本とは異なる内容の電子メールを受信することとなる。
【００２６】
前記携帯電話１の利用者は、メール制御手段６からインターネット４、携帯電話センタ３及び基地局２経由で受信した前記加工された内容の電子メール閲覧し、必要があると判断した場合に携帯電話１を使用してメール制御手段６宛（メールアドレスmailwarp@office.co.jpのメールアカウントmailwarp）に、メール原本の管理を伴う管理コマンドを記述した電子メールを送信する。このメール原本の管理には、図３に一覧として示す各種の管理内容があるが、特に転送（蓄積している電子メールの中から、指定したメール原本ＩＤの電子メールを指定した宛先に転送コメントを付して送信する。）について説明する。この転送を指示する転送コマンドを記述した電子メールの具体例を図６に示す。
【００２７】
前記携帯電話１により送信された転送コマンドを記述された電子メールは、基地局２、携帯電話センタ３及びインターネット４を経由してオフィス１１内のメールサーバ５に到着する。このメールサーバ５は、電子メールの宛先であるメール制御手段６に、受信した携帯電話１からの転送コマンドを記述した電子メール（コマンド電子メール）を配信する。
【００２８】
このメールサーバ５からの配信によりメール制御手段６がコマンド電子メールをメールサーバインターフェイス６１で受信し、このメールサーバインターフェイス６１が後段のメール識別手段６２へ送信する。この送信されたコマンド電子メールを送信されたメール識別手段６２は、前記図７のステップ１１で電子メールの種別を判断し、コマンド電子メールと判断された場合にその判断結果をメール処理制御手段６３へ出力する。
【００２９】
このメール処理制御手段６３はコマンド電子メールに記述された管理コマンドの種類を識別し、該当する管理をメール処理手段６５へ指示する（ステップ１４）。このステップ１４の詳細を図８に示し、この図８においてメール処理制御手段６３はメールサーバインターフェイス６１から送信されたコマンド電子メールにおける本文の先頭１byteを抽出し（ステップ３０）、この抽出した先頭１byteを解析して返信コマンドか、転送コマンドか、識別不能かを判断する（ステップ３１）。
【００３０】
前記ステップ３１で転送コマンド”ｔ”と判断された場合には、メール処理制御手段６３はメール処理手段６５に対して電子メールのメール原本を転送先へ送信するよう指示する（ステップ３２）。また、メールサーバインターフェイス６１から送信されたコマンド電子メールにおける次行を”／”まで抽出して転送宛先のメールアドレスとする（ステップ３３）。さらに、このコマンド電子メールにおける次行から最終行までを転送コメントとして転送する（ステップ３４）。
【００３１】
また、前記ステップ３１において返信コマンド”ｒ”と判断された場合には、さらにコマンドを解析して全員返信コマンド”ｒａ”か否かが判断される（ステップ３５）。以降は、図８に示す通り転送コマンドの場合と同様に返信動作又は全員返信動作が実行される（ステップ３６ないしステップ４１）。
さらに具体的には、メール処理手段６５は、原本蓄積手段６４に蓄積している電子メールの中からコマンドで指定しているメール原本を選択し、コマンド電子メールで指定している転送先メールアドレス宛に、コマンドを記述している転送コメントを付与して、メールサーバインターフェイス６１へ返信に係る電子メールの送信を指示する。このメールサーバインターフェイス６１は転送される電子メールをメールサーバ５に送信する。メールサーバ５は、指定されたメールアドレス宛に電子メールの送信をインターネット４を用いて行う。この送信された電子メールは、インターネット４等をを経由して目的のメールアドレス宛に送信される。
【００３２】
図６に示すように、転送コマンドを記述した電子メールの処理の場合に、目的のメールアドレスはＰＣ９宛（メールアドレス：user2@office.co.jp）とＰＣ８宛（メールアドレス：user3@office.co.jp）となり、これらの両者に図９に示すような電子メール原本が転送メール（メール原本にコメントが付されたメール）として転送される。
【００３３】
（本発明の第２の実施形態）
本発明の第２の実施形態に係る電子メールシステムを図１１ないし図１６に基づき、前記第１の実施形態における図１を参照して説明する。この図１１は図１に記載のメール制御手段による分割電子メールの転送及び返信の動作説明図、図１２は分割電子メールにおける返信コマンド及び分割番号の記述態様図、図１３は分割電子メールに対する回答の各返信コマンドを記述したコマンド電子メール態様図、図１４はコマンド電子メールの解析フローチャート、図１５は返信の電子メール作成動作フローチャート、図１６は図１５により作成された返信の電子メール態様図である。
【００３４】
前記各図のおいて本実施形態に係る電子メールシステムは、電子メールの受信文字数制限により、転送する加工されたメール原本を３分割してメール制御手段６から携帯電話１へ転送され、この携帯電話１から分割された各電子メールの全部又はいずれかに対する回答がコマンド電子メールとして携帯電話１からメール制御手段６へ送信された場合に、このメール制御手段６がコマンド電子メールの管理コマンドに基づいて管理して単一の電子メールで返信を行う構成である。
【００３５】
次に、前記構成に基づく本実施形態に係る電子メールシステムの送受信動作について説明する。まず、前記第１の実施形態の場合と同様に図１１（Ａ）に示すメール原本の電子メールがＰＣ７からインターネット４を経由してオフィス１１のメールサーバ５に送信され、このメールサーバ５からメール原本を配信されたメール制御手段６がこのメール原本をｎ分割（例えば、３分割）し、この分割ｎに係る電子メールにメール原本ＩＤと共に管理コマンド、分割番号”ｍ＿ｎ”、マージマーク”／”を図１２に示すように付与して携帯電話１に送信する。この分割番号”ｍ＿ｎ”は、ｎがメール制御手段６によりメール原本を分割する総数を示し、ｍが分割されたメール原本に係る分割メールのうち携帯電話１から返信される返信メールにおける順位の数を示す。
【００３６】
この携帯電話１は、転送された分割に係る各電子メールに対する各々回答を、例えば図１３に示すように記述して返信コマンドとするコマンド電子メールとし、このコマンド電子メールを基地局２、携帯電話センタ３、インターネット４を経由してメールサーバ５及びメール制御手段６へ送信する。
このように携帯電話１から送信されたコマンド電子メールをメール制御手段６が図１４に示すように解析を行う。同図においてメール制御手段６は、まず送信されたコマンド電子メールの本文における先頭１byte目を抽出し（ステップ４０）、この抽出された先頭１byte目に記述されるコマンドが返信コマンド”ｒ”か、転送コマンド”ｔ”か、識別不能かを判断する（ステップ４１）。
【００３７】
前記ステップ４１で転送コマンド”ｔ”と判断された場合には、前記実施形態におけるステップ３２、３３、３４と同様に転送処理を実行する（ステップ４２、４３、４４）。
前記ステップ４１で返信コマンド”ｒ”と判断された場合には、さらに全員返信コマンドの”ａ”か否かを判断する（ステップ４５）。この判断結果に基づいてメール制御手段６の返信メールマージ処理部（図示を省略）がマージマーク”／”に基づいて処理し（ステップ４６）、マージ判定を行って（ステップ４７、ステップ５１）、返信又は全員返信の各処理を実行する（ステップ４８ないしステップ５０、又はステップ５２ないしステップ５４）。
【００３８】
また、前記ステップ４１、ステップ４５において識別不能である場合には、エラー処理が実行される。
前記ステップ４６における返信メールマージ処理部の処理動作フローチャートを図１５に示す。同図において前記ステップ４０で抽出された先頭１byte目におけるコマンドのメール原本ＩＤ以降、即ち分割番号を抽出し（ステップ６０）、この分割番号の有無により返信のマージ”ｍ＿ｎ”か、通常の返信””（記載なし）か、識別不能かを判断する（ステップ６１）。
【００３９】
前記ステップ６１で返信のマージ”ｍ＿ｎ”と判断された場合に、さらにマージマーク”／”の有無及び識別不能か否かを判断する（ステップ６２）。前記マージマーク”／”が有ると判断された場合には、メール制御手段６の原本蓄積手段６４に蓄積されているメール原本からメール原本ＩＤが一致する電子メールのメール原本を読出し（ステップ６４）、蓄積している分割返信メールからメール原本ＩＤの分割返信メールを取得する（ステップ６５）。さらに、取得したメール原本を分割数に従いブロック化し（ステップ６６）、分割番号順に分割返信メール内のコメント、メール原本分割ブロックを交互に並べて単一（一通）の電子メールを作成する（ステップ６７）。
【００４０】
前記マージマーク”／”が無いと判断された場合には、分割番号が記述された返信メールをメール制御手段６の原本蓄積手段６４に順次蓄積する（ステップ６３）。このように蓄積された分割番号が記述された返信メールは、前記ステップ６２でマージマーク”／”が記述され且つ分割番号が記述された返信メールが受信された場合にメール制御手段６において前記ステップ６４ないしステップ６７の動作が実行される。また、ステップ６１において通常の返信と判断された場合には、返信の電子メールを蓄積しない（ステップ６８）。また、ステップ６１、６２においては識別不能と判断された場合には例外処理を実行する（ステップ６９）。
【００４１】
（本発明の他の実施形態）
前記各実施形態においては携帯電話１が電子メールにより管理コマンド及び／又はコメントを送信する構成としたが、携帯電話１から音声・画像等により送信する構成とすることもできる。なお、前記音声で管理コマンド及び／又はコメントを送信する場合にはメール制御手段６に音声認識装置等が必要となり、又画像で管理コマンド及び／又はコメントを送信する場合にはメール制御手段６に画像認識装置が必要となる。この認識装置の各出力信号はメール識別手段６２に入力され、このメール識別手段６２以降の処理については、前記各実施形態と同様に行うことができる。
【００４２】
また、前記各実施形態については、転送、送信のコマンドを携帯電話１からメール制御手段６へ指示する構成としたが、この転送、返信に代え／又はこれらと共に電子メールのメール原本総ての送信を要求する構成とすることもできる。
【００４３】
【発明の効果】
本発明においては、他方の端末装置から一方の端末装置へコンピュータネットワークを介して送信される電子メールに対するメールサーバの管理動作のうち、任意の動作を指令する管理コマンドが一方の端末装置側へ携帯電話から送信され、この管理コマンドに基づいてメール制御手段が電子メールに対する管理動作を実行するようにしているので、前記電子メールを送信された一方の端末装置がメールサーバを用いて行う転送、閲覧、返信等のメール制御の他に、携帯電話からの指令によりメール制御手段による電子メールの各種管理を実行できることとなり、受信した一方の端末装置側で電子メールに関する各種管理動作を実行できるという効果を有する。
【００４４】
また、本発明においては、電子メールの転送を指令する管理コマンドに基づいて、メール制御手段がメールサーバに格納された電子メールをその他の端末装置へ送信するようにしているので、電子メールの内容総てが携帯電話からの指令により転送できるという効果を有する。
また、本発明においては、電子メールに対する返信の電子メールを送信することを指令する管理コマンドに基づいて、メール制御手段がメールサーバに格納された電子メールと携帯電話から送信されたデータとを単一の電子メールとして他方の端末装置へ返信するようにしているので、受信された電子メールの総ての内容に回答等のコメントを付して携帯電話からの指令により返信できるという効果を有する。
【００４５】
さらに、本発明においては、電子メールに管理コマンドを記述して携帯電話から送信するようにしているので、より簡易に電子メールの転送、返信等の管理動作を実行できるという効果を有する。
【図面の簡単な説明】
【図１】本発明の第１の実施形態に係る電子メールシステムにおける全体概略構成図である。
【図２】図１記載の電子メールシステムにおけるメール制御手段のブロック構成図である。
【図３】図１に記載の電子メールシステムにおける管理コマンドの記号及び内容一覧図である。
【図４】図２に記載の原本蓄積手段における蓄積されたメールの原本のデータフォーマット図である。
【図５】図１に記載の電子メールシステムにおいて用いられる利用者情報及び管理情報に関する各メールアドレスの内容一覧図である。
【図６】図１に記載の携帯電話で記述される転送コマンド態様図である。
【図７】図２に記載のメール識別手段の識別動作フローチャートである。
【図８】図２に記載のメール処理制御手段の制御動作フローチャートである。
【図９】図２に記載のメール処理制御手段で作成された転送の電子メールデータフォーマットである。
【図１０】図２に記載のメール処理手段から転送処理時に送信される電子メールデータフォーマットである。
【図１１】図１に記載のメール制御手段による分割電子メールの転送及び返信の動作説明図である。
【図１２】分割電子メールにおける返信コマンド及び分割番号の記述態様図である。
【図１３】分割電子メールに対する回答の各返信コマンドを記述したコマンド電子メール態様図である。
【図１４】コマンド電子メールの解析フローチャートである。
【図１５】返信の電子メール作成動作フローチャートである。
【図１６】図１５により作成された返信の電子メール態様図である。
【図１７】従来の電子メールシステムの全体概略構成図である。
【図１８】従来の電子メールシステムの転送及び返信動作における電子メールデータフォーマット図である。
【符号の説明】
１  携帯電話
２  基地局
３  携帯電話センタ
４  インターネット
５  メールサーバ
６  メール制御手段
７、８、９、１０  ＰＣ（パーソナルコンピュータ）
１１  オフィス
６１  メールサーバインターフェイス
６２  メール識別手段
６３  メール処理制御手段
６４  原本蓄積手段
６５  メール処理手段
【図１】
0004169473.tif 000002
【図２】
0004169473.tif 000003
【図３】
0004169473.tif 000004
【図４】
0004169473.tif 000005
【図５】
0004169473.tif 000006
【図６】
0004169473.tif 000007
【図７】
0004169473.tif 000008
【図８】
0004169473.tif 000009
【図９】
0004169473.tif 000010
【図１０】
0004169473.tif 000011
【図１１】
0004169473.tif 000012
【図１２】
0004169473.tif 000013
【図１３】
0004169473.tif 000014
【図１４】
0004169473.tif 000015
【図１５】
0004169473.tif 000016
【図１６】
0004169473.tif 000017
【図１７】
0004169473.tif 000018
【図１８】
0004169473.tif 000019